(57)【特許請求の範囲】
【請求項１】
冷却室と加温室とを断熱性の隔壁を介して有する前面開口のキャビネットと、
冷却室に収納されている商品を所定温度に冷却する冷却手段と、
加温室に収納されている商品を所定温度に加温する加温手段と、
販売指令に基づいて冷却室または加温室に収納されている商品を取り出して販売口に導く搬送手段と、
冷却室及び加温室に収納されている商品を外から視認できるように冷却室及び加温室の前側に間隙を介して設けられた前面透明板と、
冷却室及び加温室と前面透明板との間隙を隔壁の前側位置で仕切るように配置された断熱性の補助隔壁とを備え、
該補助隔壁は冷却室または加温室に収納されている商品を前面透明板から補助隔壁を通じて視認できるようにするための透明部を有する、
ことを特徴とする自動販売機。
【請求項２】
補助隔壁の透明部は１枚の透明板から成る、
ことを特徴とする請求項１に記載の自動販売機。
【請求項３】
補助隔壁の透明部は２枚の透明板と該２枚の透明板の間に形成された空気層とから成る、
ことを特徴とする請求項１に記載の自動販売機。
【請求項４】
加温室は横向きの隔壁を介して冷却室の上側に設けられ、
搬送手段は冷却室及び加温室と前面透明板との間隙に上下方向及び左右方向に移動可能に配置された搬送部を有し、
補助隔壁は隔壁の前側位置に横向きに配置された下降限界位置からの上昇及び復帰を可能としており、
補助隔壁は上方移動する搬送部による押し上げによって前記下降限界位置から上昇し、且つ、下方移動する搬送部と一緒に下降して前記下降限界位置に復帰する、
ことを特徴とする請求項１〜３の何れか１項に記載の自動販売機。
【請求項５】
補助隔壁には、下降限界位置において隔壁との隙間と前面透明板との隙間をそれぞれ密封するパッキンが設けられている、
ことを特徴とする請求項４に記載の自動販売機。
【発明の詳細な説明】
【技術分野】
【０００１】
本発明は、自動販売機内に収納されている商品を前面透明板を通じて外から視認可能な自動販売機に関する。
【背景技術】
【０００２】
この種の自動販売機は自動販売機内に収納されている商品を外から視認可能とするための前面透視板を有しており、購入者は前面透明板を通じて商品を確認した上で希望の商品を購入する。一般に自動販売機内に収納されている商品は所定温度に冷却されているため、購入者は冷却された商品（冷却商品）を入手することができる。
【０００３】
最近では所定温度に加温された商品（加温商品）を冷却商品と併せて収納するタイプの自動販売機も提案されている。この自動販売機によれば、購入者は前面透明板を通じて冷却商品と加温商品を確認した上で希望の冷却商品または加温商品を購入できる。
【特許文献１】特許第３６２１８００号公報
【特許文献２】特開２０００−７６５３５号公報
【発明の開示】
【発明が解決しようとする課題】
【０００４】
加温商品を冷却商品と併せて収納する自動販売機にあっては、冷却商品を収納する冷却室と加温商品を収納する加温室とを熱的に仕切る断熱性の隔壁を両室の間に設ける必要がある。また、冷却室及び加温室と前面透明板との間には往々にして間隙が存するため、該間隙を隔壁の前側位置で仕切る断熱性の補助隔壁を隔壁と一体または別体に設ける必要がある。
【０００５】
しかし、前面透明板の後側に存する補助隔壁は購入者の視界を遮るものであるため、冷却室と加温室が横向きの隔壁の上下に設けられている場合には上下一方の室に収納されている商品の視認性が低下し、また、冷却室と加温室が縦向きの隔壁の左右に設けられている場合には左右一方側の室に収納されている商品の視認性が低下する。この視認性低下を補うには購入者自らが視界を変えるために姿勢変更や立ち位置変更等を行う必要があるため、視認性を原因とした迷惑を購入者にかけると共に購買意欲の低下を招来してしまう。
【０００６】
本発明は前記事情に鑑みて創作されたもので、その目的とするところは、冷却室及び加温室と前面透明板との間の間隙を仕切る補助隔壁を前面透明板の後側に設ける場合でも該補助隔壁によって商品の視認性が低下することを防止できる自動販売機を提供することにある。
【課題を解決するための手段】
【０００７】
前記目的を達成するため、前記目的を達成するため、本発明の自動販売機は、冷却室と加温室とを断熱性の隔壁を介して有する前面開口のキャビネットと、冷却室に収納されている商品を所定温度に冷却する冷却手段と、加温室に収納されている商品を所定温度に加温する加温手段と、冷却室及び加温室に収納されている商品を外から視認できるように冷却室及び加温室の前側に間隙を介して設けられた前面透明板と、冷却室及び加温室と前面透明板との間隙に上下方向及び左右方向に移動可能に配置され、販売指令に基づいて冷却室または加温室に収納されている商品を取り出して販売口に導く搬送手段と、冷却室及び加温室と前面透明板との間隙を隔壁の前側位置で仕切るように配置された断熱性の補助隔壁とを備え、該補助隔壁は冷却室または加温室に収納されている商品を前面透明板から補助隔壁を通じて視認できるようにするための透明部を有する、ことをその特徴とする。
【０００８】
この自動販売機によれば、冷却室及び加温室と前面透明板との間隙を隔壁の前側位置で仕切る補助隔壁には透明部が設けられているので、冷却室と加温室が隔壁の上下に設けられている場合や、冷却室と加温室が隔壁の左右に設けられている場合でも、通常姿勢のままで前面透明板から補助隔壁を通じて上下他方の室、或いは、左右他方の室に収納されている商品を視認することができる。
【０００９】
つまり、冷却室及び加温室と前面透明板との間隙を仕切る補助隔壁が前面透明板の後側に存していても該補助隔壁によって商品の視認性が低下することを防止できる。依って、従前のように、視認性低下を補うために購入者自らが姿勢変更や立ち位置変更等を行う必要がなく、視認性を原因とした迷惑を購入者に受けることを回避できると共に購買意欲の低下を未然に防ぐことができる。
【発明の効果】
【００１０】
本発明によれば、冷却室及び加温室と前面透明板との間の間隙を仕切る補助隔壁を前面透明板の後側に設ける場合でも該補助隔壁によって商品の視認性が低下することを防止できる。
【００１１】
本発明の前記目的とそれ以外の目的と、構成特徴と、作用効果は、以下の説明と添付図面によって明らかとなる。
【発明を実施するための最良の形態】
【００１２】
以下、図面に従って本発明の実施形態を説明する。尚、以下の説明では、図１の手前側を前、奥側を後、左側を左、右側を右と表記する。
【００１３】
図１〜図８は本発明の一実施形態を示す。図１は自動販売機の外観斜視図、図２は図１の要部縦断面図、図３は図１の要部斜視図、図４は自動販売機の制御系図、図５〜図８は自動販売機の動作説明図である。
【００１４】
まず、図１〜図３を参照して、自動販売機のメカニズムについて説明する。
【００１５】
図１に示した自動販売機は、前面を開口した箱形のキャビネット１と、キャビネット１の前面開口の一部を開閉自在に覆う縦長の第１ドアと、キャビネット１の前面開口の残部を開閉自在に覆う縦長の第２ドア３を有する。
【００１６】
第１ドア２は、矩形状の枠（符号無し）と、該枠の内側に取り付けられた前面透明板２ａを有しており、左端に設けられた軸を中心として開閉できる。前面透明板２は１枚の透明ブラスチック板または透明ガラス板から成っていてもよく、或いは、２枚の透明ブラスチック板または透明ガラス板と両者の間に形成された空気層とから成っていていてもよい。
【００１７】
第２ドア３は、右端に設けられた軸を中心として開閉できる。第２ドア３には、硬貨投入口４と、返却レバー４と、ＬＣＤ等から成る表示器６と、紙幣投入口７と、複数の商品選択ボタン８と、返却口９と、内蔵ロックを操作するためのレバー１０と、販売口１１とを有している。複数の商品選択ボタン８は冷却室Ｒｃに収納されている商品ＣＣと加温室Ｒｈに収納されている商品ＨＣが銘柄別に対応している。
【００１８】
キャビネット１内には、断熱性の内箱１２ａと、該内箱１２ａ内に上下方向に間隔をおいて横向きの複数の棚板１２ｂが設けられている。内箱１２ａは所定の棚板１２を境として下側が冷却室Ｒｃとなっていて上側が加温室Ｒｈとなっている。複数の棚板１２ｂのうち、少なくとも冷却室Ｒｃと加温室Ｒｈとの境目に存する棚板１２ｂ（以下、隔壁１２ｂと言う）は断熱性を有している。冷却室Ｒｃには該冷却室Ｒｃ内の温度を検出する冷却温度センサＴＳｃ（図４参照）が設けられ、加温室Ｒｈには該加温室Ｒｈ内の温度を検出する加温温度センサＴＳｈ（図４参照）が設けられている。
【００１９】
各棚板１２ｂ及び隔壁１２ｂには、複数の商品収納部１３が横並びでそれぞれ配置されている。各商品収納部１３は、縦断面コ字形のフレーム１３ａと、フレーム１３ａの前後位置に回転自在に設けられた１対の回転軸１３ｂと、一方の回転軸１３ｂに連結された減速機付きモータＭｃ（図４参照）と、１対の回転軸１３ｂに巻き付けられた無端ベルト１３ｃと、無端ベルト１３ｃに取り付けられた商品保持板１３ｄとを有する。商品ＣＣ，ＨＣは各商品収納部１３の無端ベルト１３ｃ上に前後に並べて収納されている。
【００２０】
冷却室Ｒｃ及び加温室Ｒｈと前面透明板２ａとの間には所定の前後寸法，左右寸法及び上下寸法を有する間隙（符号無し）が存在し、該間隙には搬送手段を構成するバケット状の搬送部１４が上下方向及び左右方向に移動可能に配置されている。
【００２１】
搬送手段は、搬送部１４の他に、上下移動自在なエレベータ１５と、エレベータ１５を上下方向に移動させるＺ方向駆動機構（図示省略）と、エレベータ１５上に配置され搬送部１４を左右方向に移動させるＸ方向駆動機構１６とを有する。この搬送手段は、前記各商品収納部１３との協働によって、冷却室Ｒｃに収納されている商品ＣＣまたは加温室Ｒｈに収納されている商品ＨＣを取り出して販売口１１に導く役目を果たす。Ｚ方向駆動機構は、減速機付きモータＭｚ（図４参照）と、モータＭｚの回転力を上下方向の直線移動力に変換してエレベータ１５に伝える動力変換機構（図示省略）を含む。また、Ｘ方向駆動機構１６は、減速機付きモータＭｘ（図４参照）と、モータＭｘの回転力を左右方向の直線移動力に変換して搬送部１４に伝える動力変換機構（図示省略）を含む。搬送部１４の上端には、後述の前側レバー１７ｄ及び後側レバーレバー１７ｄを操作すると共に補助隔壁１７を押し上げる役目を果たす操作片１４ａが設けられている。また、搬送部１４内には、該搬送部１４内への商品ＣＣまたはＨＣの投入を検出するための投入検知センサＳｄ（図４参照）が設けられている。
【００２２】
冷却室Ｒｃ及び加温室Ｒｈと前面透明板２ａとの間隙には、該間隙を隔壁１２ｂの前側位置で上下に仕切るための補助隔壁１７が配置されている。補助隔壁１７は、矩形状の枠１７ａと、該枠１７ａの内側に取り付けられた透明部１７ｂとを有し、隔壁１２ｂと同程度の断熱性を有している。透明部１７ｂは１枚の透明ブラスチック板または透明ガラス板から成る。
【００２３】
また、補助隔壁１７には、矩形枠１７ａの左右端それぞれに前後に間隔をおいて取り付けられた１対のブラケット１７ｃと、前側の左右ブラケット１７ｃに回転自在に取り付けられた横長でくの字状の前側レバー１７ｄと、前側レバー１７ｄを図２において時計回り方向に付勢する捻りコイルバネ等のバネ材（図示省略）と、前側レバー１７ｄの前端に取り付けられた横長の前側パッキン１７ｅと、後側の左右ブラケット１７ｃに回転自在に取り付けられた横長でくの字状の後側レバー１７ｄと、後側レバー１７ｄを図２において反時計回り方向に付勢する捻りコイルバネ等のバネ材（図示省略）と、後側レバー１７ｄの前端に取り付けられた横長の後側パッキン１７ｅと、矩形枠１７ａの左右端それぞれに後ろ向きに取り付けられた支持片１７ｆと、各支持片１７ｆに取り付けられた昇降ガイド１７ｇとが設けられている。各パッキン１７ｅは合成ゴムから成り、枠１７ａとほぼ同じ左右寸法を有する。
【００２４】
キャビネット１内の左右内壁には、補助隔壁１７を昇降自在に支持する２本のガイドレール１８が設けられている。各ガイドレール１８は、補助隔壁１７の昇降ガイド１７ｇが上下移動自在に嵌合するレール部１８ａと、昇降ガイド１７ｇとの当接によって補助隔壁１７の下降限界位置を定めるストッパ部１８ｂが設けられている。２本のガイドレール１８の一方には、補助隔壁１７が下降限界位置にあることを検出するための位置検知センサＳｐ（図４参照）が設けられている。
【００２５】
図２に示すように、補助隔壁１７は外的な力を受けていない状態では自重によって下降限界位置、即ち、隔壁１２ｂの前側位置に止まっている。下降限界位置にある補助隔壁１７の前側パッキン１７ｅはバネ付勢力によって前面透明板２ａの裏面と補助隔壁１７の下面前端に接触していて補助隔壁１７と前面透明板２ａとの隙間（符号無し）を密封しており、また、後側パッキン１７ｅはバネ付勢力によって隔壁１２ｂの前面と補助隔壁１７の下面後端に接触していて、補助隔壁１７と隔壁１２ｂとの隙間（符号無し）を密封している。
【００２６】
キャビネット１内には、電動圧縮機ＣＯＭ（図４参照）と、凝縮器（図示省略）と、膨張手段（図示省略）と、蒸発器（図示省略）と、蒸発器で冷却された空気を冷却室Ｒｃに送り込む送風機ＦＭ（図４参照）とを含む冷凍回路が設けられている。この冷凍回路は冷却温度センサＴＳｃの検知信号に基づいて冷却室Ｒｃに収納されている商品ＣＣを所定温度に冷却する役目を果たす。因みに、本実施形態ではこの冷凍回路が請求範囲における「冷却手段」に相当する。
【００２７】
加温室Ｒｈには、電熱ヒータＥＨ（図４参照）が設けられている。この電熱ヒータＥＨは加温温度センサＴＳｈの検知信号に基づいて加温室Ｒｈに収納されている商品ＨＣを所定温度に加温する役目を果たす。因みに、本実施形態ではこの電熱ヒータＥＨが請求範囲における「加温手段」に相当する。
【００２８】
次に、図４を参照して、自動販売機の制御系について説明する。
【００２９】
図４に示した制御系は、制御部２１と、貨幣処理部２２と、選択検知部２３と、信号検知部２４と、モータ駆動部２５と、圧縮機駆動部２６と、送風機駆動部２７と、ヒータ駆動部２８と、表示器駆動部２９とを有する。
【００３０】
制御部２１はマイクロコンピュータから成る。制御部２１のメモリには、商品ＣＣ，ＨＣの販売に係るプログラムと、商品ＣＣの冷却及び商品ＨＣの加温に係るプログラムと、表示器６の表示に係るプログラムと、表示データ等が記憶されている。
【００３１】
貨幣処理部２２は、前記硬貨投入口４に投入された硬貨または前記紙幣投入口７に投入された紙幣の真偽の判定と、投入金額の検出と、硬貨及び紙幣の貯蔵と、投入された硬貨または紙幣が偽の場合の返却を行うと共に、投入金額に係る信号を制御部２１に受け渡す役割を果たす。
【００３２】
選択検知部２３は、前記商品選択ボタン８の操作信号を制御部２１に受け渡す役割を果たす。信号検知部２４は、前記投入検知センサＳｄ，前記位置検知センサＳｐ，前記冷却温度センサＴＳｃ及び前記加温温度センサＴＳｈの検出信号を制御部２１に受け渡す役割を果たす。
【００３３】
モータ駆動部２５は、制御部２１からの制御信号に基づいて、前記商品収納部１３のモータＭｃへの電源供給と、前記Ｚ方向駆動機構のモータＭｚと前記Ｘ方向駆動機構１６のモータＭｘへの電源供給を行う役割を果たす。圧縮機駆動部２１は、制御部２１からの制御信号に基づいて、前記冷却手段の電動圧縮機ＣＯＭへの電源供給を行う役割を果たす。送風機駆動部２７は、制御部２１からの制御信号に基づいて、前記冷却手段の送風機ＦＭへの電源供給を行う役割を果たす。ヒータ駆動部２８は、制御部２１からの制御信号に基づいて、前記加温手段の電熱ヒータＥＨへの電源供給を行う役割を果たす。表示器駆動部２９は、制御部２１からの表示信号に基づいて、前記表示器６へのデータ表示を行う役割を果たす。
【００３４】
次に、図２，図５〜８を参照して、自動販売機の動作について説明する。
【００３５】
図２に示すように、搬送部１４が冷却室Ｒｃの前側（待機位置を含む）にある状態では補助隔壁１７は隔壁１２ｂの前側位置にあり、該補助隔壁１７は冷却室Ｒｃ及び加温室Ｒｈと前面透明板２ａとの間隙を上下に仕切っている。
【００３６】
詳しくは、同状態では、補助隔壁１７は外的な力を受けていないため、自重によって下降限界位置（隔壁１２ｂの前側位置）に止まっている。また、下降限界位置にある補助隔壁１７の前側パッキン１７ｅはバネ付勢力によって前面透明板２ａの裏面と補助隔壁１７の下面前端に接触していて補助隔壁１７と前面透明板２ａとの隙間を密封しており、また、後側パッキン１７ｅはバネ付勢力によって隔壁１２ｂの前面と補助隔壁１７の下面後端に接触していて、補助隔壁１７と隔壁１２ｂとの隙間を密封している。
【００３７】
冷却室Ｒｃに収納されている商品ＣＣは、冷却温度センサＴＳｃの検知信号に基づく冷却手段の作動によって所定温度に冷却されている。また、加温室Ｒｈに収納されている商品ＨＣは、加温温度センサＴＳｈの検知信号に基づく加温手段の作動によって所定温度に加温されている。
【００３８】
自動販売機で商品ＣＣ，ＨＣを購入しようとする者（購入者）は、まず、前面透明板２ａを通じて商品ＣＣ，ＨＣを目で確認する。前面透明板２ａの後側には冷却室Ｒｃ及び加温室Ｒｈと前面透明板２ａとの間隙を上下に仕切る補助隔壁１７が存在するが、該補助隔壁１７には透明部１７ｂが設けられている。依って、目の高さが補助隔壁１７よりも上にある購入者にあっては、図２に矢印ＥＳで示すように、通常姿勢のままで前面透明板２ａから補助隔壁１７を通じて冷却室Ｒｃに収納されている商品ＣＣを視認することができる。また、目の高さが補助隔壁１７よりも下にある購入者にあっては、通常姿勢のままで前面透明板２ａから補助隔壁１７を通じて加温室Ｒｈに収納されている商品ＨＣを視認することができる。つまり、冷却室Ｒｃ及び加温室Ｒｈと前面透明板２ａとの間隙を上下に仕切る補助隔壁１７が前面透明板２ａの後側に存していても該補助隔壁１７によって商品ＣＣ，ＨＣの視認性が低下することを防止できる。
【００３９】
購入者は前記視認によって商品ＣＣまたはＨＣを決定し、硬貨または紙幣を投入して決定した商品ＣＣまたはＨＣに対応した選択ボタン８を押す。
【００４０】
例えば、購入者が加熱室Ｒｈに収納されている商品ＨＣを選択して該選択に基づく販売指令が生じたときには、図６及び図７に示すように、選択された商品ＨＣを収納している商品収納部１３と向き合う位置に搬送手段の搬送部１４が移動して停止する。このとき、下降限界位置に止まっている補助隔壁１７が、上方移動する搬送部１４による押し上げによって下降限界位置から上昇する。
【００４１】
詳しくは、搬送部１４が上方移動すると、該搬送部１４の操作片１４ａによって補助隔壁１７の前側レバー１７ｄがバネ付勢力に抗して図２において反時計回り方向に回転し、且つ、後側レバーレバー１７ｄがバネ付勢力に抗して図２において時計回り方向に回転する。この前側レバー１７ｄの回転によって前側パッキン１７ｅが前面透明板２ａの裏面と補助隔壁１７の下面前端から離れて補助隔壁１７と前面透明板２ａとの隙間の密封が解かれ、且つ、後側レバー１７ｄの回転によって後側パッキン１７ｅが隔壁１２ｂの前面と補助隔壁１７の下面後端から離れて補助隔壁１７と隔壁１２ｂとの隙間の密封が解かれる。そして、搬送部１４の操作片１４ａによって補助隔壁１７全体が押し上げられ、該補助隔壁１７がガイドレール１８に沿って横向き状態のまま上昇する。
【００４２】
下降限界位置からの補助隔壁１７の上昇は搬送部１４の上方移動が停止するまで継続するが、図５〜図７に矢印ＥＳで示すように、該補助隔壁１７の上昇過程でも先に述べた商品ＣＣ，ＨＣの視認性は確保される。
【００４３】
選択された商品ＨＣを収納している商品収納部１３と向き合う位置に搬送手段の搬送部１４が停止すると、図７に示すように、該商品収納部１３のモータＭｃの所定角度回転して無端ベルト１３ｃ上の先頭の商品ＨＣが搬送部１４内に投入される。
【００４４】
搬送部１４内への商品ＨＣの投入が投入検知センサＳｄによって検出されると、図８に示すように、搬送部１４は販売口１１の後側に向かって移動して停止する。このとき、搬送部１４によって押し上げられていた補助隔壁１７が、下方移動する搬送部１４と一緒に下降する。補助隔壁１７は下降限界位置までしか下降できないため、該補助隔壁１７は下降限界位置で停止する。
【００４５】
補助隔壁１７が下降限界位置で停止した後にさらに搬送部１４が下方移動すると、該補助隔壁１７の前側パッキン１７ｅがバネ付勢力により復帰して前面透明板２ａの裏面と補助隔壁１７の下面前端に接触し、補助隔壁１７と前面透明板２ａとの隙間が再び密封され、また、後側パッキン１７ｅがバネ付勢力により復帰して隔壁１２ｂの前面と補助隔壁１７の下面後端に接触し、補助隔壁１７と隔壁１２ｂとの隙間が再び密封される。
【００４６】
上昇位置からの補助隔壁１７の下降は該補助隔壁１７が下降限界位置に達するまで継続するが、図８に矢印ＥＳで示すように、該補助隔壁１７の下降過程でも先に述べた商品ＣＣ，ＨＣの視認性は確保される。
【００４７】
補助隔壁１７の上昇開始と復帰完了は位置検知センサＳｐの検出信号によって認識できるので、熱的な仕切りが解かれた冷却室Ｒｃと加温室Ｒｈとの間で熱交換が行われることを防止するために、該補助隔壁１７が上昇を開始してから復帰が完了するまでの間は冷却手段による冷却と加温手段による加温をともに停止するようにしてもよい。
【００４８】
購入者が冷却室Ｒｃに収納されている商品ＣＣを選択して該選択に基づく販売指令が生じたときには、前記のような補助隔壁１７の上昇及び復帰動作は行われずに、前記同様の商品搬送が実施される。
【００４９】
前述の実施形態によれば、冷却室Ｒｃ及び加温室Ｒｈと前面透明板２ａとの間隙を隔壁１２ｂの前側位置で上下に仕切る補助隔壁１７には透明部１７ｂが設けられているので、目の高さが補助隔壁１７よりも上にある購入者にあっては通常姿勢のままで前面透明板２ａから補助隔壁１７を通じて冷却室Ｒｃに収納されている商品ＣＣを視認することができ、また、目の高さが補助隔壁１７よりも下にある購入者にあっては通常姿勢のままで前面透明板２ａから補助隔壁１７を通じて加温室Ｒｈに収納されている商品ＨＣを視認することができる。
【００５０】
つまり、冷却室Ｒｃ及び加温室Ｒｈと前面透明板２ａとの間隙を上下に仕切る補助隔壁１７が前面透明板２ａの後側に存していても該補助隔壁１７によって商品ＣＣ，ＨＣの視認性が低下することを防止できる。依って、従前のように、視認性低下を補うために購入者自らが姿勢変更や立ち位置変更等を行う必要がなく、視認性を原因とした迷惑を購入者に受けることを回避できると共に購買意欲の低下を未然に防ぐことができる。
【００５１】
また、補助隔壁１７を下降限界位置（隔壁１２ｂの前側位置）から上昇でき、且つ、下降限界位置に復帰できるように構成すると共に、該補助隔壁１７を上方移動する搬送部１４による押し上げによって下降位置から上昇させ、且つ、下方移動する搬送部１４と一緒に下降させて下降限界位置に復帰できるように構成しているので、加温室Ｒｈが隔壁１２ｂを介して冷却室Ｒｃの上側に設けられていても、該加温室Ｒｈに収納されている商品ＨＣの販売を支障なく行うことができる。
【００５２】
しかも、補助隔壁１７が下降限界位置から上昇する過程及び上昇位置から下降限界位置に復帰する過程でも先に述べた商品ＣＣ，ＨＣの視認性を確保できるので、補助隔壁１７が昇降するときに該補助隔壁１７によって商品ＣＣ，ＨＣの視認性が低下することも防止できる。
【００５３】
さらに、補助隔壁１７と前面透明板２ａとの隙間と補助隔壁１７と隔壁１２ｂとの隙間をそれぞれ密封する可動式の前側パッキン１７ｅと後側パッキン１７ｅを補助隔壁１７に設け、搬送部１４が上方移動するときには両隙間の密封が解かれるように両パッキン１７ｅを回転変位させ、搬送部１４が上昇位置から下方移動するときには両パッキン１７ｅを回転変位させて両隙間を再び密封するように構成しているので、補助隔壁１７を昇降可能に構成した結果として前後に生じ得る隙間を確実に密封して冷却室Ｒｃと加温室Ｒｈとの間で熱交換が行われることを防止できると共に、補助隔壁１７の昇降が両パッキン１７ｅの存在によって邪魔されることを防止できる。
【００５４】
さらに、位置検知センサＳｐの検出信号に基づいて補助隔壁１７が上昇を開始してから復帰が完了するまでの間の冷却手段による冷却と加温手段による加温を停止すれば、該補助隔壁１７の上昇により熱的な仕切りが解かれた冷却室Ｒｃと加温室Ｒｈとの間で熱交換が行われることを防止して、冷却及び加温に係るエネルギーが無駄に消費されることを防ぐことができる。
【００５５】
尚、前述の実施形態では、補助隔壁１７の前側パッキン１７ｅをバネ付勢力によって前面透明板２ａの裏面と補助隔壁１７の下面前端に接触させることによって補助隔壁１７と前面透明板２ａとの隙間を密封し、また、後側パッキン１７ｅをバネ付勢力によって隔壁１２ｂの前面と補助隔壁１７の下面後端に接触させることによって補助隔壁１７と隔壁１２ｂとの隙間するようにしたが、図９（Ａ）に示すように、前面透明板２ａの裏面に冷温表示板等の横長部品１９を設けて該横長部品１９の下面と補助隔壁１７の下面前端に前側パッキン１７ｅ接触させ、また、補助隔壁１７の下降限界位置或いは隔壁１２ｂの厚さを変えることで隔壁１２ｂの下面前端と補助隔壁１７の下面後端に後側パッキン１７ｅを接触させるようにしても同様の隙間密封が行える。
【００５６】
また、前述の実施形態では、１枚の透明ブラスチック板または透明ガラス板から成る透明部１７ｂを有するものを補助隔壁１７として示したが、図９（Ｂ）に示すように、２枚の透明ブラスチック板または透明ガラス板１７ｂ１と該２枚の透明ブラスチック板または透明ガラス板１７ｂ１の間に形成された空気層１７ｂ２（好ましくは密閉された空気層）とから成る透明部１７ｂ’を有するものを補助隔壁１７’として用いてもよい。
【００５７】
さらに、前述の実施形態では、搬送部１４とエレベータ１５とＺ方向駆動機構とＸ方向駆動機構１６とを有するものを、冷却室Ｒｃに収納されている商品ＣＣまたは加温室Ｒｈに収納されている商品ＨＣを取り出して販売口１１に導く役目を果たす搬送手段として示したが、モータ駆動のメカニカルハンドと該ハンドを上下方向と左右方向に移動させるＸ−Ｚ方向駆動機構とを有するものを搬送手段として採用して、メカニカルハンドによって商品収納部１３の商品ＣＣ，ＨＣを掴み取るようにしても、前記同様の商品搬送を実施することができる。この場合の商品収納部１３は後続の商品を先頭に送り込めるだけでよいので、モータ駆動の無端ベルト１３ｃを有しない他形式の収納部構造が採用できる。例えば、先頭の商品の落下を阻止するストッパを有し、縦断面コ字形の本体の底面上に前後に並べて収納した商品をバネ付勢力によってストッパに向けて押圧する構造のものや、先頭の商品の落下を阻止するストッパを有し、縦断面コ字形の本体の底面上に前後に並べて収納した商品を底面の傾斜を利用してストッパに向けて自重移動させる構造のもの等が商品収納部として採用できる。
【００５８】
さらに、前述の実施形態では、冷却室Ｒｃと加温室Ｒｈを横向きの隔壁１２ｂの上下に設けたものを示したが、冷却室と加温室とを縦向きの隔壁の左右に設けた場合でも前記補助隔壁１７等を縦向きに配置し、且つ、縦向きの補助隔壁を隔壁の前側位置で保持するためのバネ材を追加すれば前記同様の作用効果を得ることができる。
【図面の簡単な説明】
【００５９】
【図１】本発明の一実施形態を示す自動販売機の外観斜視図である。
【図２】図１の要部縦断面図である。
【図３】図１の要部斜視図である。
【図４】自動販売機の制御系図である。
【図５】自動販売機の動作説明図である。
【図６】自動販売機の動作説明図である。
【図７】自動販売機の動作説明図である。
【図８】自動販売機の動作説明図である。
【図９】補助隔壁のパッキンの変形例を示す要部縦断面図と、補助隔壁の透明部の変形例を示す縦断面図である。
【符号の説明】
【００６０】
１…キャビネット、２ａ…前面透明板、１１…販売口、１２ｂ…隔壁、Ｒｃ…冷却室、Ｒｈ…加温室、ＣＣ，ＨＣ…商品、１４…搬送部、１７，１７’…補助隔壁、１７ｂ，１７ｂ’…透明部、１７ｂ１…透明ブラスチック板または透明ガラス板、１７ｂ２…空気層、１７ｅ…前側パッキン及び後側パッキン。
【図１】
0004820177.tif 000002
【図２】
0004820177.tif 000003
【図３】
0004820177.tif 000004
【図４】
0004820177.tif 000005
【図５】
0004820177.tif 000006
【図６】
0004820177.tif 000007
【図７】
0004820177.tif 000008
【図８】
0004820177.tif 000009
【図９】
0004820177.tif 000010